(57)【要約】【課題】宛先毎に変動する、収容局（交換機）から宛先端末間のアナログ伝送路長に依存した信号特性に適合できるようにした画像通信装置を提供する。【解決手段】宛先情報記憶部１０３に、所定の宛先に対応する短縮ダイヤル番号に対応して、各宛先の接続形態に対応した通信制御情報であるモデム送出レベル、モデム感度を予め登録し、短縮ダイヤル番号を用いた通信指示に際して、宛先情報記憶部１０３にこの短縮ダイヤル番号に対応してモデム送出レベル、モデム感度が登録されている場合は、この登録されたモデム送出レベル、モデム感度により、モデム１２３を制御し、登録されていない場合は、装置に予め登録された信号送出レベルおよびモデム感度により、モデム１２３を制御する。【選択図】図１
2011101102.tif 000002
【特許請求の範囲】
【請求項１】
宛先との画情報通信に際して画情報通信規約を制御する伝送制御手段と、
公衆回線網に対する網接続制御を行う網制御手段と、
前記伝送制御手段による画情報通信規約の制御および前記網制御手段による網接続制御に従った画情報通信に係わる信号の送受信を制御する送受信制御手段と、
前記宛先に対応して前記送受信制御手段に対する通信制御情報を登録する登録手段と、
前記宛先に対する通信指示に際して、前記登録手段に該宛先に対応して前記通信制御情報が登録されているかを判別する判別手段と、
前記判別手段により前記通信制御情報が登録されていると判定された場合は、前記通信制御情報に従って前記送受信制御手段を制御する通信制御手段と
を具備する画像通信装置。
【請求項２】
前記伝送制御手段は、
ＩＴＵ−Ｔ勧告Ｔ．３０手順に従ってファクシミリプロトコルを制御し、
前記網制御手段は、
アナログ公衆回線網に対する網接続制御を行い、
前記登録手段は、
前記宛先を特定する短縮番号に対応して前記送受信制御手段であるモデムの信号送出レベルおよび最低着信レベルの少なくとも１つを登録し、
前記通信制御手段は、
前記短縮番号による通信指示に際して、前記登録手段に前記信号送出レベルおよび最低着信レベルの少なくとも１つが登録されている場合は、該登録されている前記信号送出レベルおよび前記最低着信レベルの少なくとも１つに従って前記モデムを制御する請求項１記載の画像通信装置。
【請求項３】
前記通信制御手段は、
前記登録手段に前記信号送出レベルおよび最低着信レベルのいずれもが登録されていない場合は、装置に予め登録された信号送出レベルおよび最低着信レベルに従って前記モデムを制御する請求項２記載の画像通信装置。
【発明の詳細な説明】
【技術分野】
【０００１】
本発明は、画像通信装置に関する。
【背景技術】
【０００２】
従来、ファクシミリ装置等の画像通信装置では、予め装置に設定された信号送出レベル、最低着信レベルにて信号の送受信を実行していた。
【０００３】
ところで、近年、光ファイバを通信媒体として用いるＦＴＴＨ（Fiber To The Home）などを利用したＩＰ（Internet Protocol）電話サービスが急速に普及している。これらＩＰ電話サービスのうち、ＯＡＢ〜Ｊ電話番号を付与されるクラスＡ品質のサービスではファクシミリ通信への対応が提示されている。
【０００４】
特許文献１には、通信エラーが発生した場合のリダイヤル時には信号送出レベルを上げて通信をおこなう方法が開示されている。
【先行技術文献】
【特許文献】
【０００５】
【特許文献１】特開平１１−１２２４５２号公報
【発明の概要】
【発明が解決しようとする課題】
【０００６】
本発明は、宛先毎に変動する、収容局（交換機）から宛先端末間のアナログ伝送路長に依存した信号特性に適合できるようにした画像通信装置を提供することを目的とする。
【課題を解決するための手段】
【０００７】
上記目的を達成するため、請求項１の発明の画像通信装置は、宛先との画情報通信に際して画情報通信規約を制御する伝送制御手段と、公衆回線網に対する網接続制御を行う網制御手段と、前記伝送制御手段による画情報通信規約の制御および前記網制御手段による網接続制御に従った画情報通信に係わる信号の送受信を制御する送受信制御手段と、前記宛先に対応して前記送受信制御手段に対する通信制御情報を登録する登録手段と、前記宛先に対する通信指示に際して、前記登録手段に該宛先に対応して前記通信制御情報が登録されているかを判別する判別手段と、前記判別手段により前記通信制御情報が登録されていると判定された場合は、前記通信制御情報に従って前記送受信制御手段を制御する通信制御手段とを具備する。
【０００８】
請求項２の発明は、請求項１の発明において、前記伝送制御手段は、ＩＴＵ−Ｔ勧告Ｔ．３０手順に従ってファクシミリプロトコルを制御し、前記網制御手段は、アナログ公衆回線網に対する網接続制御を行い、前記登録手段は、前記宛先を特定する短縮番号に対応して前記送受信制御手段であるモデムの信号送出レベルおよび最低着信レベルの少なくとも１つを登録し、前記通信制御手段は、前記短縮番号による通信指示に際して、前記登録手段に前記信号送出レベルおよび最低着信レベルの少なくとも１つが登録されている場合は、該登録されている前記信号送出レベルおよび前記最低着信レベルの少なくとも１つに従って前記モデムを制御する。
【０００９】
請求項３の発明は、請求項２の発明において、前記通信制御手段は、前記登録手段に前記信号送出レベルおよび最低着信レベルのいずれもが登録されていない場合は、装置に予め登録された信号送出レベルおよび最低着信レベルに従って前記モデムを制御する。
【発明の効果】
【００１０】
請求項１の発明によれば、宛先ごとに変動する収容局（交換機）から宛先端末間のアナログ伝送路長による信号特性の違いに適応可能となる。
【００１１】
請求項２の発明によれば、短縮番号に対応する宛先ごとに変動する収容局（交換機）から宛先端末間のアナログ伝送路長による信号特性の違いに適応可能となる。
【００１２】
請求項３の発明によれば、信号送出レベルおよび最低着信レベルが登録されていない宛先との通信においても信号送出レベルおよび最低着信レベルの制御が可能になる。
【図面の簡単な説明】
【００１３】
【図１】図１は、本発明に係わる画像通信装置の一実施例の概略構成を示すブロック図である。
【図２】図２は、図１の宛先情報記憶部に記憶される宛先情報の一例を示す図である。
【図３】図３は、本発明に係わる画像通信装置の通信制御例を示すフローチャートである。
【図４】図４は、本発明の従来の問題点を説明する図である。
【発明を実施するための形態】
【００１４】
以下、本発明の一実施例を添付図面を参照して詳細に説明する。
【実施例】
【００１５】
図１は、本発明に係わる画像通信装置の一実施例の概略構成を示すブロック図である。この画像通信装置１００は、主制御部１０１、操作部１０２、宛先情報記憶部１０３、画像読取部１０４、印刷部１０５、画像処理部１０６、画像蓄積部１０７、記憶部１０８、システム制御部１０９、Ｇ３ＦＡＸ通信制部１２０、Ｇ４ＦＡＸ通信制部１３０をバス１１０に接続して構成される。
【００１６】
ここで、主制御部１０１は、この画像通信装置１００における画像処理を制御するものである。
【００１７】
操作部１０２は、この画像通信装置１００を操作する各種の操作キーおよび各種情報を表示する表示部を有する。
【００１８】
宛先情報記憶部１０３、宛先に対応する短縮ダイヤル番号等の宛先情報や、宛先毎の能力に対応する通信制御情報を記憶する。
【００１９】
画像読取部１０４は、所定の解像度で原稿画像を読み込み、印刷部１０５は、所定の解像度で画像を印刷する。
【００２０】
画像処理部１０６は、画像データに対する符号化、復号化、拡大、縮小等の処理を行う。
【００２１】
画像蓄積部１０７は、画像読取部１０３から読み込まれた画像または受信した画像を蓄積する。
【００２２】
システム制御部１０９は、この画像通信装置１００の全体の制御処理を行う。
【００２３】
Ｇ３ＦＡＸ通信制部１２０は、Ｇ３ＦＡＸ伝送制御部１２１、ＰＳＴＮ（Public Switched Telephone Networks）呼/網制御部１２２、モデム１２３を具備して構成され、Ｇ３ＦＡＸ伝送制御部１２１は、ＩＴＵ−Ｔ勧告Ｔ.３０手順に従ってファクシミリプロトコルを制御し、ＰＳＴＮ呼/網制御部１２２は、アナログ公衆回線網（ＰＳＴＮ網）での呼の確立、網接続の制御を行い、モデム１２３は、公衆網（ＰＳＴＮ、ＩＳＤＮ）１４０に対する信号の送出、受信を行う。
【００２４】
Ｇ４ＦＡＸ通信制部１３０は、Ｇ４ＦＡＸ伝送制御部１３１、ＩＳＤＮ呼/網制御部１３２を具備して構成され、Ｇ４ＦＡＸ伝送制御部１３１は、Ｇ４ファクシミリプロトコルを制御し、ＩＳＤＮ呼/網制御部１３２は、デジタル公衆回線網（ＩＳＤＮ網）での呼の確立、網接続の制御を行い、公衆網（ＰＳＴＮ、ＩＳＤＮ）１４０に対する信号の送出、受信を行う。
【００２５】
ところで、端末が収容される収容局（交換機）から数Ｋｍの伝送路を経て端末に接続する従来のアナログ信号を用いたＰＳＴＮ接続形態と、収容局からはデジタル伝送されＶｏＩＰ（Voice over Internet Protocol）ターミナルアダプタやホームゲートウェイから数ｍの伝送路にて端末に接続する形態では、ファクシミリ通信時に送受する信号の特性が異なってくる。
【００２６】
具体的には、アナログ信号での伝送路が長いほど信号は減衰し、周波数特性も高域ほど減衰量が大きくなっていく。
【００２７】
そこで、数Ｋｍのアナログ信号での伝送を想定した環境で、アナログ伝送路の短いＶｏＩＰターミナルアダプタなどに端末を接続した場合、相手機に届く信号のレベルが高すぎたり、また、従来の受信感度では相手機端末付近でリターンするエコー信号などを拾ってしまったりするトラブルが発生することがある。
【００２８】
また、自機をＶｏＩＰターミナルアダプタなどに接続する場合は、一律に収容局（交換機）までの伝送路分の送出レベル、最低着信レベルなどを調整すればよいが、収容局（交換機）から相手端末間がＶｏＩＰターミナルアダプタ接続のＩＰ網か従来のＰＳＴＮ経由かで減衰量などの信号の特性が異なってくるので、例えばアナログ伝送路の非常に長い特定の相手先に合わせて送信レベルを上げると、ＶｏＩＰターミナルアダプタ接続のＩＰ網経由の相手先には到達する信号レベルが高すぎて、画情報の伝送エラーなどの問題が生じることがある。
【００２９】
例えば、図４に示すように、送信側ファクシミリ装置（送信側ＦＡＸ）４０１が、アナログ伝送線４０２、ＰＳＴＮ網４０３、ＩＰ電話網４０４、光ファイバ４０５、ターミナルアダプタ（ＴＡ）４０６、アナログ伝送線４０７を経由してＶｏＩＰ網接続ファクシミリ装置（ＶｏＩＰ網接続ＦＡＸ）４０８に接続される第１の接続形態と、送信側ファクシミリ装置４０１が、アナログ伝送線４０２、ＰＳＴＮ網４０３、アナログ伝送線４０９を経由してＰＳＴＮ網接続ファクシミリ装置（ＰＳＴＮ網接続ＦＡＸ）４１０に接続されている第２の接続形態が混在する場合を考える。
【００３０】
この場合、第１の接続形態と第２の接続形態とでは、図４に示すように、減衰量、エコーなどの信号の特性が異なってくるので、例えば第２の接続形態に合わせて送信レベルを上げると、第１の接続形態では相手先には到達する信号レベルが高すぎて、画情報の伝送エラーが生じたり、相手機端末付近でリターンするエコー信号を拾ってしまったりするトラブルが発生することがある。
【００３１】
また、通信エラーが発生した場合のリダイヤル時には信号送出レベルを上げて通信をおこなう方法を採用した場合は、必ずリダイヤルが必要となり、通信費が増大するとともに、通信エラー多発によりお客様に不安/不信感を与えてしまう虞がある。
【００３２】
そこで、この実施例においては、宛先情報記憶部（登録手段）１０３に、所定の宛先に対応する短縮ダイヤル番号（短縮番号）に対応して、各宛先の接続形態に対応した通信制御情報であるモデム送出レベル、モデム感度（最低着信レベル）を予め記憶（登録）し、短縮ダイヤル番号を用いた通信指示に際して、宛先情報記憶部１０３に、この短縮ダイヤル番号に対応してモデム送出レベル、モデム感度が登録されている場合は、この登録されたモデム送出レベル、モデム感度により、モデム（送受信制御手段）１２３を制御し、登録されていない場合は、装置に予め登録された信号送出レベルおよびモデム感度により、モデム１２３を制御する。
【００３３】
図２は、図１の宛先情報記憶部１０３に登録された短縮ダイヤル番号とモデム送出レベル、モデム感度との対応の一例を示した図である。
【００３４】
図２において、短縮ダイヤル番号「００１」に対応する宛先が、例えば、図４に示す第１の接続形態で接続されるＶｏＩＰ網接続ファクシミリ装置４０８であると、送受信信号の減衰は「小」であり、エコー信号は「中〜大」である。この場合は、短縮ダイヤル番号「００１」に対応して通常の値より小さいモデム送出レベルＬａ、モデム感度Ｇａが設定登録される。
【００３５】
また、短縮ダイヤル番号「００２」に対応する宛先が、例えば、図４に示す第２の接続形態で接続されるＰＳＴＮ網接続ファクシミリ装置４１０であると、送受信信号の減衰は「中〜大」「小」であり、エコー信号は「小」である。この場合は、短縮ダイヤル番号「００２」に対応して通常の値より大きいモデム送出レベルＬｂ、モデム感度Ｇｂが設定登録される。
【００３６】
このように、図１の宛先情報記憶部１０３には、図２に示すように、短縮ダイヤル番号「００１」、「００２」、「００３」・・・に対応して、この短縮ダイヤル番号「００１」、「００２」、「００３」・・・の宛先の接続形態に対応したモデム送出レベルＬａ、Ｌｂ、Ｌｃ・・・およびモデム感度Ｇａ、Ｇｂ、Ｇｃ・・・がそれぞれ登録される。
【００３７】
図３は、図２に示した「短縮ダイヤル番号とモデム送出レベル、モデム感度との対応関係」を用いた図１に示す画像通信装置１００の通信制御例を示すフローチャートである。  図３において、この処理が開始されると、まず、短縮ダイヤルによる通信指示かを調べる（ステップ３０１）。
【００３８】
ここで、短縮ダイヤルによる通信指示であると判断されると（ステップ３０１でＥＳ）、次に、図１の宛先情報記憶部１０３に、この通信指示に係わる短縮ダイヤル番号に対応して「モデム送出レベル」、「モデム感度」の登録があるかを調べる（ステップ３０２）。ここで、図１の宛先情報記憶部１０３に、この通信指示に係わる短縮ダイヤル番号に対応して「モデム送出レベル」、「モデム感度」が登録されていると判断されると（ステップ３０２でＹＥＳ）、図１の宛先情報記憶部１０３に、この通信指示に係わる短縮ダイヤル番号に対応して登録された「モデム送出レベル」、「モデム感度」でモデム１２３を制御してこの処理を終了する。
【００３９】
なお、ステップ３０１で、短縮ダイヤルによる通信指示であるとないと判断された場合（ステップ３０１でＮＯ）、若しくはステップ３０２で、図１の宛先情報記憶部１０３に、この通信指示に係わる短縮ダイヤル番号に対応して「モデム送出レベル」、「モデム感度」が登録されていないと判断された場合は（ステップ３０２でＮＯ）、ステップ３０４に進み、この装置に予め設定された装置設定値の「モデム送出レベル」、「モデム感度」でモデム１２３を制御してこの処理を終了する。
【００４０】
以上が本発明の代表的な実施形態の一例であるが、本発明は、上記実施例及び図面に示す実施例に限定することなく、その要旨を変更しない範囲内で適宜変形して実施できるものである。
【００４１】
例えば、上記実施例において、図１の宛先情報記憶部１０３において、図２に示すように、「短縮ダイヤル」に対応して、「モデム送出レベル」、「モデム感度」を登録するようにしたが、「短縮ダイヤル」に対応して、「モデム送出レベル」若しくは「モデム感度」のいずれか一方のみを登録し、モデム１２３の制御に際しては、「モデム送出レベル」若しくは「モデム感度」のいずれか一方のみを制御するようにしてもよい。
【００４２】
また、宛先の接続形態が予め分かっている場合は、図１の宛先情報記憶部１０３に、「短縮ダイヤル」ではなく「実ダイヤル（ダイヤル番号）」に対応して「モデム送出レベル」、「モデム感度」を登録して、この登録した「モデム送出レベル」、「モデム感度」でモデム１２３を制御するようにしてもよい。
【符号の説明】
【００４３】
１００    画像通信装置
１０１    主制御部
１０２    操作部
１０３    宛先情報記憶部
１０４    画像読取部
１０５    印刷部
１０６    画像処理部
１０７    画像蓄積部
１０８    記憶部
１０９    システム制御部
１１０    バス
１２０    Ｇ３ＦＡＸ通信制部
１２１    Ｇ３ＦＡＸ伝送制御部
１２２    ＰＳＴＮ呼/網制御部
１２３    モデム
１３０    Ｇ４ＦＡＸ通信制部
１３１    Ｇ４ＦＡＸ伝送制御部
１３２    ＩＳＤＮ呼/網制御部
１４０    公衆網（ＰＳＴＮ，ＩＳＤＮ）
【図１】
2011101102.tif 000003
【図２】
2011101102.tif 000004
【図３】
2011101102.tif 000005
【図４】
2011101102.tif 000006